(57)【要約】  本設置場所での組み立て精度が高く、作業が容易なステージ装置を提供する。本発明のステージ装置（５）では、主ベース板（１１）上の第一、第二の主レール（１７ａ，１７ｂ）にそれぞれ接続され、第一、第二の主レール（１７ａ，１７ｂ）を延長させる副レール（１８）が、別々の副ベース板（２１）上に設けられている。従って、副ベース板（２１）を位置合わせして主ベース板（１１）に固定する際に、既に主ベース板（１１）に固定されている副ベース（２１）板の位置合わせ精度に影響が及ばない。
2009028527.tif 000002
【特許請求の範囲】
【請求項１】
四辺形形状の主ベース板と、
前記主ベース板の一辺に固定され、互いに分離可能な二枚の副ベース板と、
前記主ベース板の上方位置と、前記主ベース板に固定された前記二枚の副ベース板の間の上方位置との間を移動可能に構成された移動部材と、
前記二枚の副ベース板は、前記主ベース板から分離可能に構成されたステージ装置。
【請求項２】
前記主ベース板上で直線状に延設され、互いに平行に配置された第一、第二の主レールと、
前記二枚の副ベース板上にそれぞれ配置され、前記第一、第二の主レールの端部にそれぞれ接続される副レールとを有し、
前記移動部材は、前記第一、第二の主レール上と前記二枚の副ベース板の前記副レール上を走行し、前記主ベース板の上方位置と、前記二枚の副ベース板の間の上方位置との間を移動可能に構成されたステージ装置。
【発明の詳細な説明】
【技術分野】
【０００１】
本発明はステージ装置の技術分野に係り、特に、分解可能なステージ装置に関する。
【背景技術】
【０００２】
図９の符号１０５は、従来技術のステージ装置を示している。
このステージ装置１０５は、ベース板１１１を有しており、ベース板１１１は、裏面の四隅に配置された脚部１１２ａ〜１１２ｄによって、床面上に載置されている。【０００３】
ベース板１１１の表面上にはレール１１７、１１８が敷設されており、その上には、ガントリ１１３が乗せられている。ガントリ１１３のベース板１１１に対面する面には、印刷ヘッドが配置されている。印刷ヘッドはタンク１１４に接続されており、タンク１１４から印刷ヘッドに吐出液を供給し、ベース板１１１上に基板１０７を乗せて印刷ヘッドから吐出液を吐出すると、吐出液は基板１０７上に着弾する。【０００４】
ガントリ１１３はレール１１７、１１８上を移動可能に構成されており、図１０に示すように、基板１０７の上方で吐出液を吐出すると、基板１０７表面の所望位置に吐出液を着弾させることができる。  
この吐出液は、例えば、液晶配向膜用の有機薄膜の原料や、液晶表示装置のスペーサの分散液、有機ＥＬ素子の発光層の原料等であり、ステージ装置１０５は、大きな基板に吐出液を吐出するのに用いられている。【０００５】
しかしながら、吐出対象の基板は大型の一途を辿っており、それに対応し、ステージ装置も大型化し、コストの問題や法規上の問題から、工場で製造したステージ装置を設置場所まで運搬することが困難になっている。
そこで従来技術でも対策が取られており、ベース板を分割して運搬する試みが成されている。
【特許文献１】特開２００７−７３６８８号公報
【発明の開示】
【発明が解決しようとする課題】
【０００６】
しかしながら、一旦分割したベース板を設置場所で組み立てる場合、位置合わせに多大な手間を要し、また、レールを接続する際に、レールの組み立て精度が悪いと印刷ヘッドの走行が安定しないという問題がある。
【課題を解決するための手段】
【０００７】
上記課題を解決するため、本発明は、四辺形形状の主ベース板と、前記主ベース板の一辺に固定され、互いに分離可能な二枚の副ベース板と、前記主ベース板の上方位置と、前記主ベース板に固定された前記二枚の副ベース板の間の上方位置との間を移動可能に構成された移動部材と、前記二枚の副ベース板は、前記主ベース板から分離可能に構成されたステージ装置である。
また、本発明は、前記主ベース板上で直線状に延設され、互いに平行に配置された第一、第二の主レールと、前記二枚の副ベース板上にそれぞれ配置され、前記第一、第二の主レールの端部にそれぞれ接続される副レールとを有し、前記移動部材は、前記第一、第二の主レール上と前記二枚の副ベース板の前記副レール上を走行し、前記主ベース板の上方位置と、前記二枚の副ベース板の間の上方位置との間を移動可能に構成されたステージ装置である。
【発明の効果】
【０００８】
主ベース板に対し、第一、第二の副ベース板を独立に位置合わせができるから、本設置場所での位置合わせ作業が簡便であり、位置合わせ精度が向上する。
【図面の簡単な説明】
【０００９】
【図１】(ａ)：仮設置場所の主載置台を説明するための平面図  (ｂ)：その側面図
【図２】(ａ)：仮設置場所の副載置台を説明するための平面図  (ｂ)：その側面図
【図３】仮設置場所で主載置台に対して副載置台を連結する手順を説明するための内部平面図
【図４】仮設置場所又は本設置場所で連結された主載置台と副載置台の状態を説明するための内部平面図
【図５】(ａ)：本発明の一例のステージ装置の平面図    (ｂ)：その側面図
【図６】(ａ)：そのステージ装置の動作状態を説明するための平面図    (ｂ)：その側面図
【図７】本設置場所で副載置台を主載置台に連結する手順を説明するための平面図
【図８】（ａ）本発明の他の例のステージ装置を説明するための平面図  （ｂ）：その側面図
【図９】(ａ)：従来技術のステージ装置の平面図(１)  (ｂ)：その側面図(１)
【図１０】(ａ)：従来技術のステージ装置の平面図(２)  (ｂ)：その側面図(２)
【符号の説明】
【００１０】
５……ステージ装置
１０……主載置台
１１……主ベース板
１３……移動部材（ガントリ）
１６……主位置決め部材
２０ａ〜２０ｄ……副載置台
２１……副ベース板
２４1，２４2……副位置決め部材
３０……調整機構
３３……連結部材
【発明を実施するための最良の形態】
【００１１】
図５(ａ)、(ｂ)の符号５は、本発明のステージ装置を示している。同図(ａ)は平面図、同図(ｂ)は側面図である。
このステージ装置５は、一台の主載置台１０と二台、又は四台(ここでは四台)の副載置台２０ａ〜２０ｄを有している。
主載置台１０と副載置台２０ａ〜２０ｄの上部には、それぞれ表面が平坦で四辺形形状の主ベース板１１と副ベース板２１とが設けられている。
主ベース板１１の表面上には、互いに平行な第一、第二の主レール１７ａ，１７ｂが配置されており、副ベース板２１の表面上には、一本の副レール１８が配置されている。【００１２】
第一、第二の主レール１７ａ，１７ｂは、主ベース板１１の四辺のうちの二辺に平行で他の二辺に垂直に配置されており、第一、第二の主レール１７ａ，１７ｂの少なくとも一端は、主ベース板１１の四辺のうち、第一、第二の主レール１７ａ，１７ｂとは垂直な同一の辺まで伸ばされている。
ここでは、第一、第二の主レール１７ａ，１７ｂの両端が、第一、第二の主レール１７ａ，１７ｂとは垂直な二辺までそれぞれ伸ばされている。【００１３】
副レール１８も、副ベース板２１の四辺のうちの二辺に平行で、他の二辺に垂直に配置されており、その両端のうち、少なくとも一端は、副レール１８とは垂直な一辺まで伸ばされている。【００１４】
主ベース板１１と副ベース板２１の表面は、それぞれ同じ高さで水平になるように配置されている。
主ベース板１１の四辺のうち、第一、第二の主レール１７ａ，１７ｂの端部が位置する二辺を主接続辺Ｆとし、副レール１８の一端が位置する辺を副接続辺Ｂとすると、各副載置台２０ａ〜２０ｄは、その上部の副ベース板２１上の副レール１８の端部が第一、第二の主レール１７ａ，１７ｂの端部に密着するように、副ベース板２１の副接続辺Ｂが、主ベース板１１の主接続辺Ｆと密着して配置されており、副載置台が二台の場合は第一、第二の主レール１７ａ，１７ｂが、副レール１８によって、同じ側に延長されるように構成され、四台の場合は、第一、第二の主レール１７ａ，１７ｂの両端が、副レール１８の端部と密着し、第一、第二の主レール１７ａ，１７ｂが副レール１８によって両端部方向に延長されるように構成されている。【００１５】
図中、符合１９ａ、１９ｂは、副レール１８によって第一、第二の主レール１７ａ，１７ｂが延長された第一、第二の延長レールをそれぞれ示している。
主ベース板１１上には移動部材であるガントリ１３が配置されている。このガントリ１３の底面部分には、印刷ヘッド(不図示)が設けられており、ガントリ１３には吐出液が配置されたタンク１４が接続されている。【００１６】
タンク１４から吐出液を供給し、印刷ヘッド内部の吐出機構を動作させると、印刷ヘッドに設けられた複数の吐出孔から、主ベース板１１上に向けて吐出液が吐出されるように構成されている。【００１７】
主ベース板１１表面の主レール１７ａ，１７ｂの間に位置する部分の上には、基板７が配置されている。
ガントリ１３は、第一、第二の延長レール１９ａ，１９ｂ上に乗せられており、第一、第二の延長レール１９ａ，１９ｂ上を走行できるように構成されている。【００１８】
印刷ヘッドは制御装置(不図示)によって吐出が制御されており、図６(ａ)、(ｂ)に示すように、ガントリ１３が基板７上に位置する状態で、印刷ヘッドから吐出液が吐出されると、吐出液は基板７表面に着弾する。ガントリ１３を移動させると、基板７表面の所望位置に吐出液を着弾させることができる。【００１９】
このステージ装置５は、基板７への吐出作業が行なわれる本設置場所に配置されるが、主ベース板１１が大きいため、図５、６に示したように、副載置台２０ａ〜２０ｄを主載置台１０に連結し、主ベース板１１と副ベース板２１を密着させた状態では、ステージ装置５を製造する際に組み立てた仮設置場所から本設置場所に搬送することができない。【００２０】
本発明のステージ装置５では、副載置台２０ａ〜２０ｄは、主載置台１０に対してそれぞれ独立に着脱できるように構成されており、装着した状態では、各副載置台２０ａ〜２０ｄ上の副ベース板２１の副接続辺Ｂは、主ベース板１１の主接続辺Ｆに密着されており、離脱させた状態では、副ベース板２１は主ベース板１１から離れ、独立に搬送できるように構成されている。
この構成により、仮設置場所で組み立て、位置合わせをした後分離させ、仮設置場所から本設置場所に搬送し、本設置場所に於いて、仮設置場所で位置合わせをした状態を復元することができる。【００２１】
その手順を説明すると、図１(ａ)は、本設置場所ではなく、仮設置場所に置かれた状態の主載置台１０の平面図を示しており、同図(ｂ)はその主載置台１０の側面図を示している。
主ベース板１１の裏面の四隅付近には脚部１２ａ〜１２ｄが配置されている。
同図(ａ)(及び後述する図３、図４)では、主ベース板１１と主レール１７ａ，１７ｂを二点鎖線で示し、脚部１２ａ〜１２ｄを実線で示している。脚部１２ａ〜１２ｄは主ベース板１１の裏面に固定されている。【００２２】
次に、図２(ａ)は副載置台２０ａ〜２０ｄの平面図、同図(ｂ)はその側面図である。
副載置台２０ａ〜２０ｄはそれぞれ台車２２を有しており、副ベース板２１は台車２２上に乗せられている。
台車２２には複数の搬送車輪２３が設けられている。ここでは、台車２２は台座２７を有しており、搬送車輪２３は、台座２７の底面の四カ所に設けられている。【００２３】
主ベース板１１と副ベース板２１は、長方形又は正方形形状である。副ベース板２１は主ベース板１１の半分以下の大きさにされており、副ベース板２１は、主ベース板の両脇に、片側二個ずつ接続できる。【００２４】
搬送車輪２３は、副ベース板２１が主ベース板１１に接続される部分を先頭にして少なくとも前進と後進ができる向きに設けられており、搬送車輪２３を床に接地し、前進方向、又は後進方向に向けて力を加えると、搬送車輪２３が回転して副載置台２０ａ〜２０ｄは力を加えた方向に床上を走行する。【００２５】
台座２７上には、ローラと回転軸から成る副位置決め部材２４1，２４2が一乃至複数個設けられている。
ここでは副位置決め部材２４1，２４2は二個設けられており、台座２７上の、副載置台２０ａ〜２０ｄの前進方向先頭には、進行する向きの両側位置に互いに離間して配置されている。【００２６】
脚部１２ａ〜１２ｄは、床面に接触し、主ベース板１１を支持する支持部１５と、支持部１５の外周側面に設けられた板状の主位置決め部材１６とを有している。主位置決め部材１６は床面から一定距離だけ上方に配置されており、主位置決め部材１６と床面との間には隙間が形成されている。【００２７】
副位置決め部材は２４1，２４2は、台座２７に対して移動と固定が可能に構成されており、予め、副位置決め部材２４1，２４2間の距離を大きくしておき、図３の副載置台２０ｄのように、主レール１７ａ又は１７ｂと副レール１８が一直線になるように、副載置台２０ｄの先頭の部分を脚部１２ｄに向け、前進させると、同図の副載置台２０ａのように、台座２７は主位置決め部材１６と床面との間に挿入される。【００２８】
主位置決め部材１６は、脚部１２ａ〜１２ｄの側面のうち、主レール１７ａ，１７ｂと平行な側面に配置されている。
主位置決め部材１６は、副位置決め部材２４1，２４2と同じ高さに配置されているが、副位置決め部材２４1，２４2の間隔は、予め、主位置決め部材１６の幅よりも広くされており、台座２７は、副位置決め部材２４1，２４2と主位置決め部材１６が接触せずに、主位置決め部材１６の下に挿入され、同図の副載置台２０ｂのように、副ベース板２１と主ベース板１１とが接触される。
この状態では、主ベース板１１と副ベース板２１の間の理想的な位置関係からの誤差は大きい。【００２９】
副載置台２０ａ〜２０ｄには、副ベース板２１の高さと、傾きと、水平方向の位置と向きを変更できる調整機構３０が設けられている。
この調整機構３０は、副ベース板２１の高さ、傾き、水平面内の位置、及び向きを、概略変更できる粗調整機構３１と、粗調整機構３１よりも精密に変更できる微調整機構３２を有している。【００３０】
粗調整機構３１は、微調整機構３２よりも、副ベース板２１の高さと、傾きと、水平方向の位置を大きく変更できるように構成されており、先ず、副載置台２０ａ〜２０ｄ毎に、粗調整機構３１によって主ベース板１１に対する副ベース板２１の概略の位置合わせを行なう。【００３１】
仮設置場所の床面は水平であり、主ベース板１１は、主載置台１０に設けられた主調整機構(不図示)によって予め表面が水平にされているものとすると、粗調整機構３１により、副ベース板２１は、主ベース板１１の表面と略同じ高さで水平にされると共に、主ベース板１１との相対的な位置と向きが粗調整され、概略の位置合わせがされる。【００３２】
この状態では、理想的に位置合わせされた状態からの誤差を含んでいるが、粗調整前の誤差量(絶対値)を開始誤差Ｅ1とし、粗調整後の誤差量(絶対値)を粗調整誤差Ｅ2とすると、粗調整された分、粗調整誤差Ｅ2は開始誤差Ｅ1よりも小さくなっている。
粗調整がされた状態では、副ベース板２１は主ベース板１１と接触しており、副載置台２０ａ〜２０ｄは、前進はできなくても左右方向と後進方向には移動することができる。【００３３】
次に、粗調整機構３１(の粗調整ネジ)を固定し、粗調整がされた副ベース板２１と主ベース板１１の相対位置が変化しないようにしながら、副位置決め部材２４1，２４2を移動させ、主位置決め部材１６に接触させた状態で、副位置決め部材２４1，２４2を台座２７に固定すると、副位置決め部材２４1，２４2によって、主位置決め部材１６は挟まれる。【００３４】
支持部１５は、主ベース板１１の外周よりも内側に位置しており、主位置決め部材１６は、主ベース板１１の外周から遠い部分が幅広で、主ベース板１１の外周に近い方が幅狭に形成されており、副位置決め部材２４1，２４2で主位置決め部材１６を挟んだ状態では、副載置台２０ａ〜２０ｄは、主ベース板１１の外側方向に移動できるが(後退方向)、脚部１２ａ〜１２ｄに対して前進も左右方向にも移動できなくなる。【００３５】
次いで、微調整機構３２によって、副ベース板２１の高さ、傾き、水平方向の位置と向きを調整し、副ベース板２１の主ベース板１１に対する位置を、副載置台２０ａ〜２０ｄ毎に微調整する。【００３６】
微調整がされた状態での副ベース板２１と主ベース板１１の相対的な位置関係の、理想的な位置関係からの誤差量(絶対値)を微調整誤差Ｅ3とすると、微調整誤差Ｅ3はゼロに近く、Ｅ1＞Ｅ2＞Ｅ3≒０である。
微調整後、微調整機構３２(の微調整ネジ)を固定すると、微調整がされた状態が維持される。【００３７】
台座２７と副ベース板２１の間には、架台２５が配置されている。副ベース板２１は、架台２５に固定されている。この架台２５には連結部材３３が設けられており、この連結部材３３によって架台２５を脚部１２ａ〜１２ｄに固定すると、主ベース板１１と副ベース板２１とは、粗調整と微調整がされた状態で、架台２５と脚部１２ａ〜１２ｄを介して、相対的な位置が固定される。【００３８】
以上の手順により、副ベース板２１と主ベース板１１との位置合わせがされた状態でステージ装置５が組み立てられ、主レール１７ａ，１７ｂの両端に、副レール１８が真っ直ぐに接続され、直線状の第一、第二の延長レール１９ａ，１９ｂが得られる。【００３９】
このような仮組立を仮設置場所で行なった後、連結部材３３を取り外し、主載置台１０と副載置台２０ａ〜２０ｄの間の連結を解除し、副載置台２０ａ〜２０ｄを後退させ、主載置台１０と副載置台２０ａ〜２０ｄを分離すると、別々に搬送できる状態になる。【００４０】
このとき、副位置決め部材２４1，２４2の固定は解除せず、副位置決め部材２４1，２４2間の距離は変更しない。また、粗調整機構３１や微調整機構３２(の粗動ネジや微動ネジ)の固定状態も維持し、粗調整と微調整がされた状態が変化しないようにしておく。【００４１】
主載置台１０と副載置台２０ａ〜２０ｄはそれぞれ車両等に搭載し、陸路や海路等によって本設置場所まで搬送し、先ず、主載置台１０を本設置場所の所定位置に配置する。【００４２】
次いで、副載置台２０ａ〜２０ｄを脚部１２ａ〜１２ｄに向けて配置し、図７に示すように、各副載置台２０ａ〜２０ｄを、仮設置場所で組み立てられた状態が復元できるようにして副載置台２０ａ〜２０ｄを脚部１２ａ〜１２ｄに向けてそれぞれ前進させる。【００４３】
主位置決め部材１６の幅は、副載置台２０ａ〜２０ｄの進行方向の奥方向に向かって拡がっているから、各副載置台２０ａ〜２０ｄの台座２７が主位置決め部材１６の下に入ると、副位置決め部材２４1，２４2の間に主位置決め部材１６が挿入され、副位置決め部材２４1，２４2と主位置決め部材１６とが接触すると、副載置台２０ａ〜２０ｄの前進が停止する。【００４４】
この状態は、図４に示した状態と同じであり、仮設置場所と本設置場所の床面が水平であり、副位置決め部材２４1，２４2と主位置決め部材１６とが、仮設置場所で接触していた位置と同じ位置で接触している場合には、副載置台２０ａ〜２０ｄと主載置台１０との仮組立場所での位置関係が復元されている。【００４５】
即ち、副ベース板２１と主ベース板１１は、粗調整と微調整がされた状態と同じになっているので、副載置台２０ａ〜２０ｄの架台２５と主載置台１０の脚部１２ａ〜１２ｄとの間を連結部材３３で連結固定し、脚部１２ａ〜１２ｄに対して台座２７を固定すると、本設置場所での本組み立てが終了する。【００４６】
しかし、副載置台２０ａ〜２０ｄと主載置台１０との間の連結を解除し、副載置台２０ａ〜２０ｄと主載置台１０を分離して搬送したため、搬送時の振動や温度変化等により、小さな位置合わせ誤差Ｅ4が発生している場合がある。【００４７】
また、本設置場所が水平ではなく、主ベース板１１表面を水平に設定し直した場合も、位置合わせ誤差が発生する。
このような位置合わせ誤差Ｅ4は、微調整誤差Ｅ3と同程度の大きさであり、粗調整がされた状態は維持されている。【００４８】
従って、主ベース板１１の表面を水平にした後、微調整機構３２の固定を解除し、微調整機構３２によって副載置台２０ａ〜２０ｄの上下方向の高さ、傾きと、水平方向の位置と向きを微調整し、副載置台２０ａ〜２０ｄの架台２５と主載置台１０の脚部１２ａ〜１２ｄとの間を連結部材３３で連結固定すると、副ベース板２１の主ベース板１１に対する位置が変更され、位置合わせ誤差Ｅ4が小さくなり、主ベース板１１と副ベース板２１の位置合わせ誤差を、搬送前の微調整誤差Ｅ3と同程度の大きさにすることができる。【００４９】
特に、本発明のステージ装置５では、各副載置台２０ａ〜２０ｄの副ベース板２１毎に、他の副載置台２０ａ〜２０ｄの副ベース板２１の位置合わせとは無関係に、独立して位置合わせをすることができる。一枚の副ベース板上に、二本の副レールを設け、第一、第二の主レール１７ａ，１７ｂと接続する場合、一方の副レールと第一又は第二の主レール１７ａ，１７ｂとの位置合わせが終了した状態で他方の副レールと第一又は第二の主レール１７ａ，１７ｂの位置合わせを行なうと、位置合わせが終了した副レールと第一又は第二の主レール１７ａ，１７ｂとの間に位置合わせ誤差が発生していたが、本発明のステージ装置５では一方の副ベース板２１の位置合わせ作業は、他方の副ベース板２１の位置合わせ状態に影響を与えないので、既に位置合わせがされた副ベース板２１に誤差が生じることはない。【００５０】
図５(ａ)、(ｂ)は、以上の手順によって本設置場所で組み立て、主載置台１０上の主レール１７ａ，１７ｂと副載置台２０ａ〜２０ｄ上の副レール１８とを直線状に接続して第一、第二の延長レール１９ａ，１９ｂを形成し、第一、第二の延長レール１９ａ，１９ｂ上にガントリ１３を乗せた状態のステージ装置５の平面図と側面図である。【００５１】
同図では、ガントリ１３は主載置台１０の外側位置の副載置台２０ｃ，２０ｄ上に位置しており、この位置では、印刷ヘッドのクリーニング等を行なうことができる。また、ガントリ１３が基板上にないので主載置台１０上の基板７を交換することができる。【００５２】
主ベース板１１と副ベース板２１との間の位置合わせの精度が高いため、図６(ａ)、(ｂ)に示すように、ガントリ１３を、副載置台２０ａ〜２０ｄ上と、主載置台１０上の間で移動させても、振動が発生することはない。【００５３】
架台２５は台車２２から分離可能であり、架台２５が連結部材３３によって脚部１２ａ〜１２ｄに固定されていると、同図(ｂ)に示すように、台車２２を架台２５の下から抜き去っても、副ベース板２１は、主ベース板１１に対して固定された状態である。【００５４】
以上説明したように、本発明によれば、本設置場所で副載置台２０ａ〜２０ｄと主載置台１０を組み立てる前に、予め、当該ステージ装置５を製造した工場内等の仮設置場所に於いて、副ベース板２１と主ベース板１１とを位置合わせをした後、その状態が復元できるように分離させ、搬送し、本設置場所で組み立てることができる。【００５５】
なお、組み立てに用いる連結部材３３は、副載置台２０ａ〜２０ｄに設けてもよいし、主載置台１０に設けてもよい。また、副載置台２０ａ〜２０ｄと主載置台１０の両方から取り外せるようにしてもよい。【００５６】
上記実施例では、主位置決め部材１６を板状の部材で構成し、副位置決め部材２４1，２４2を、その側面に接触するローラで構成したが、それに限定されるものではなく、副ベース板２１と主ベース板１１との相対的な位置関係を再現できる部材であればよい。主位置決め部材をロールで構成し、副位置決め部材を板状部材で構成することもできる。【００５７】
また、上記実施例では、主位置決め部材１６は、脚部１２ａ〜１２ｄ内で固定されており、主位置決め部材１６と主ベース板１１の間の位置関係は固定されており、他方、副位置決め部材２４1，２４2が台座２７に対して移動及び固定が可能に構成されていたが、それとは逆に、副位置決め部材２４1，２４2と副ベース板２１の位置関係が固定され、主位置決め部材１６と主ベース板１１との間の相対位置を変更及び固定が可能にしてもよい。この場合、粗調整後、連結部材３３で固定した後、主位置決め部材１６を移動させて副位置決め部材２４1，２４2と接触させ、主位置決め部材１６の主ベース板１１に対する位置を固定してもよい。【００５８】
なお、図８の符合６は、一枚の主ベース板１１の一つの主接続辺Ｆに二枚の副ベース板２１が接続され、他の辺には副ベース板が接続されていないステージ装置を示している。【００５９】
また、上記実施例では、本発明のステージ装置５、６の主及び副載置台１０、２０ａ〜２０ｄ上には、ガントリ１３が配置され、インクジェット装置として用いられていたが、本発明はそれに限定されるものではなく、本発明のステージ装置５、６にレーザ照射装置を配置し、加熱装置、検査装置、又は露光装置として用いることもできるし、基板位置合わせ装置を配置し、アライナーとして用いることもできる。
要するに、本発明のステージ装置５、６は、インクジェット装置に限定されるものではない。
更に、移動部材はガントリ１３に限定されず、主ベース板１１上と副ベース板２１上を移動するものであれば、例えば、基板等の処理対象物が載置される載置台であってもよい。
【図１】
2009028527.tif 000003
【図２】
2009028527.tif 000004
【図３】
2009028527.tif 000005
【図４】
2009028527.tif 000006
【図５】
2009028527.tif 000007
【図６】
2009028527.tif 000008
【図７】
2009028527.tif 000009
【図８】
2009028527.tif 000010
【図９】
2009028527.tif 000011
【図１０】
2009028527.tif 000012
【国際調査報告】
2009028527.tif 000013
2009028527.tif 000014
2009028527.tif 000015
2009028527.tif 000016